(57)【要約】【課題】通常の商用電源動作時でも停電時でも利用者指定先に間違いなく電話発呼する。【解決手段】インターネット電話兼ＡＤＳＬモデム利用端末５０に２種類の電話番号記憶手段２００、２１０と停電検出手段３０１を用意し、通常動作時には通常時電話番号記憶手段２００に記憶した第一の電話番号に、停電時には停電時電話番号記憶手段２１０に記憶した第二の電話番号に発呼することで、目的の電話番号に正しく電話発呼できる。【選択図】  図１
2005039470.tif 000002
【特許請求の範囲】
【請求項１】
インターネット電話用モデムに接続する端末機器で、内部に第一の電話番号記憶手段と、第二の電話番号記憶手段を有し、商用電源が正常に通電されている時は第一の電話番号先に、商用電源が停電時には第二の電話番号にダイヤル発呼するセキュリティ機器。
【請求項２】
商用電源の停電検出を端末機器内のネットワーク制御手段の状態レジスタにより行う請求項１記載のセキュリティ機器。
【請求項３】
商用電源の停電検出を端末機器内の商用電源からゼロボルトクロス信号により行う請求項１記載のセキュリティ機器。
【請求項４】
商用電源の停電検出を端末機器内のネットワーク制御手段の状態レジスタによる停電検出出力と端末機器内の商用電源からゼロボルトクロス信号検出手段の出力の論理和によって、停電検出を行う請求項１記載のセキュリティ機器。
【発明の詳細な説明】
【０００１】
【発明の属する技術分野】
本発明は、商用電源の通電状態を監視して、発呼先の電話番号を通常通電時と停電時とで変更するインターネット電話を使った、セキュリティ機器に関する物である。
【０００２】
【従来の技術】
従来、特許文献１の様に停電を検出して、指定電話番号に電話通報するセキュリティシステムは、存在する。しかしながら、これは、停電したことを、利用者に知らせることを目的としており、通常通電時も停電時も正しい動作を保証するものではない。
【０００３】
【特許文献１】
特開２００３−３２３７７号公報
【０００４】
【発明が解決しようとする課題】
一般の電話は、ＮＴＴのアナログ電話回線と、ＮＴＴ局舎より供給される電源で動作が保証され、商用電源が停電時にも電話機能だけは、動作が保証されている。これが故に、電話はライフラインの一つとして、認められている。
【０００５】
一方、インターネット電話はＮＴＴアナログ電話回線を使った、ＡＤＳＬ等の常時接続のメリットを活かして、インターネットプロトコルを使ってインターネット経由で、電話をする技術である。ＮＴＴ局舎内の交換機を使わないので、課金が発生することなく安価に電話が掛けられる技術である。
【０００６】
しかしながら、インターネット電話は、通常音声をインターネットプロトコルに変換する必要が有るため、専用のインターネット電話専用モデムが必要となる。このモデムは、データ通信も兼用し、音声信号を扱うときは、音声信号をインターネットパケットに変換して、インターネット回線を使って通信を行うものである。
【０００７】
このモデムは、一般に消費電力も大きく、電源として商用電源を必要とする。したがって、商用電源停電時には、インターネット電話やデータ通信は行えない事になるが、停電時にはＮＴＴアナログ回線を直接インターネットモデムに接続されているアナログ電話に接続すれば、ＮＴＴ経由での電話発呼は可能になるため、通常のインターネット電話用モデムは、停電時には、従属接続された、一般電話機又は端末機器にパススルーして、ＮＴＴアナログ回線に直結する機能を持っているものが、ほとんどであり、この、停電時の切り替えは、インターネット電話用モデム内部の電源によって、機械的なリレー等のスイッチを使って行われるのが一般的である。
【０００８】
従って、停電時には、機械的スイッチで従属接続された端末機器や電話機がＮＴＴの回線に直結される構成になる。つまりは、ＮＴＴ局舎からの配線が電話機に直結されることになる。
【０００９】
また、インターネット電話では、従属接続された機器から、特定のダイヤリング手順を使うこと（一例として具体的には、「０」の４回連続発信等）で、インターネット経由での電話とＮＴＴの交換機経由での電話発信を切り替えられるものが多い。
【００１０】
これは、インターネット経由での電話で信頼性が保証されない場合、特定手順を経ることで、ＮＴＴ回線を選択し、より信頼性の高い電話発信を実現するためである。
【００１１】
ところが、このインターネット電話に従属接続される端末機器が、信頼性を重視して、常時ＮＴＴ回線を選択するようになっていたとする。特定の手順（一例として具体的には、「０」の４回連続発信）でＮＴＴ回線を選択するようになっている場合、商用電源でインターネット電話用モデムが動作している時は、前述の用にインターネット電話用モデムが判断してＮＴＴ回線を選択するが、停電時に機械的にパススルーされていると、従属接続されている機器が回線選択手順（具体的には、「０」の４回連続発信）を行うと、全く予想もされない所に電話が掛かってしまうことになる。
【００１２】
例えば、目的の電話番号が、１２３−４５６７の場合、従属接続された機器が、ＮＴＴ回線を選択して、接続する場合、００００１２３４５６７とダイヤルすることで、頭の００００でＮＴＴ回線を選択し、その後１２３４５６７にダイヤルすることになるが、停電時には、００００１２３４とＮＴＴダイヤル回線をダイヤリングしてしまい、予想外の所に電話することになる。
【００１３】
【課題を解決するための手段】
通常通電時に発呼先を指定する、第一の電話番号記憶手段と、停電時の発呼先を記憶する第二の電話番号記憶手段を設け、商用電源正常通電時は第一の電話番号に、停電時には第二の電話番号に発呼することで、正常時でも停電時でも確実に目的の電話番号に発呼できるようにするものである。
【００１４】
【発明の実施の形態】
請求項１は、通常通電時に発呼先を指定する、第一の電話番号記憶手段と、停電時の発呼先を記憶する第二の電話番号記憶手段を設け、商用電源正常通電時は第一の電話番号に、停電時には第二の電話番号に発呼することで、正常時でも停電時でも確実に目的の電話番号に発呼できる。そして、正常通電時にセキュリティセンサー等が動作して、セキュリティ発呼を行う場合、第一の電話番号記録手段と停電時にセキュリティ発呼が発生した時に、発呼を行う、第二の電話番号記録手段を有し、通常動作時、停電時に関わりなく、正しく発呼できるインターネット電話接続機器を実現するものである。
【００１５】
請求項２は、商用電源の停電検出を端末機器内のネットワーク制御手段の状態レジスタにより行うもので、通信手段をアクセスする時に、同時に外部機器の停電も検出することができる。
【００１６】
請求項３は、停電検出を端末機器内の商用電源からゼロボルトクロス信号により行う請求項１記載のセキュリティ機器で、電源電圧低下によって、商用電源が停電したことを検出するより、速やかに停電の検出が出来るものである。
【００１７】
請求項４は、請求項２と請求項３によって得られる停電情報の論理和によって、停電検出を行おうとするもので、請求項２のネットワーク制御手段のレジスタにより停電検出するもののケーブル抜け等で発生する誤検出を防止するものである。
【００１８】
【実施例】
（実施例１）
図１を使って説明する。通常の動作は、データ通信に関しては、ＣＰＵ１００で処理されたデータをデータ信号処理部１２０でシリアル化し、モデムによって送信できるフォーマットにして、Ｂラインを使ってインターネット電話兼ＡＤＳＬモデム５０に出力する。警報や通知の様な音声信号は、ＣＰＵ１００によって音声信号処理部１１０を制御し、音声信号化されＣラインを使って、インターネット電話兼ＡＤＳＬモデム５０に出力する。
【００１９】
ここでＣラインは、ダイヤル制御機能と音声出力を持ち、回線選択時には、パルス又はＤＴＭＦ信号にてダイヤル先を選択し、接続されたら音声信号を出力するものである。
【００２０】
商用電源通電時には、通常電話番号記憶手段２００に予め設定されたダイヤル先に電話するものである。
【００２１】
このままでは、前述課題の所でも説明したように、通常通電時と停電時に間違ったダイヤリングをすることがあるので、通常電話番号記憶手段２００と停電時電話番号記憶手段２１０を設け、停電検出手段１（図１）３０１の出力Ｄは正常通電時にはＨレベル、停電時にはＬレベルを出力する。この出力をＣＰＵで判定し、商用電源通電時には正常通電時は２００に記憶された電話番号先に、停電時には２１０に記憶された電話番号先にダイヤリングする。
【００２２】
例えば、目的の電話番号が、１２３−４５６７の場合、通常電話番号記憶手段２００には００００１２３４５６７の電話番号（またはＩＰ電話番号）を記憶し、停電時電話番号記憶手段２１０には１２３４５６７の電話番号（またはＮＴＴ電話番号や携帯電話番号）を記憶する。
【００２３】
これにより、利用者の設定した目的の電話番号に誤りなく発呼することができる。
【００２４】
（実施例２）
実施例２のセキュリティ機器について説明する。
【００２５】
図２は外部機器との通信時に、データ通信手段の通信ＩＣのレジスタにより停電を検出するもので、データ信号処理部１２０にあるネットワーク制御ＩＣの特定レジスタを監視することで、外部機器の停電を検出するものである。基本的な動作は実施例１と同じであるが、停電検出を外部機器とのデータ通信手段のレジスタを監視して行う停電検出手段２（図２）３０２によって行うところが異なっている。
【００２６】
データ信号処理部１２０には、データ通信用半導体が使われており、停電検出手段３０２はデータ通信用ＬＳＩのレジスタ情報をコマンド線とデータ線を使って一定時間毎に読み出す。
【００２７】
必要なレジスタを読み出すには、制御線で通信用ＬＳＩにレジスタ情報を読み出す制御信号を送り、データ線よりレジスタ情報を得る。これは、メモリーＬＳＩや、ＩＯＬＳＩに制御信号とデータを送って、所定のデータを書き込んだり読み出したりするのと同じ動作である。ここで停電検出手段２（図２）３０２は、外部機器が停電していると、信号線ＥにＬレベルを出力する。ＣＰＵ１００は、実施例１と同じように、Ｅ線のレベルを監視し、Ｌレベルを検出したら、停電と判定する。
【００２８】
（実施例３）
次に実施例３のセキュリティ機器について説明する。
【００２９】
図３は電源回路に供給されるＡＣより交流ゼロクロス信号を検出して停電検出を行う。停電検出手段３０３を使った停電検出手段の使用実施例の具体的な回路構成については、説明を割愛するが、停電検出に商用電源のゼロクロス信号を検出することで、停電検出を行うもので、商用交流電源のゼロクロス信号を検出することで、停電時にはＦにＬレベルを出力する。実施例１と同じように、このレベルをＣＰＵ１００が検出することで、直流電源回路の電圧低下による停電検出と比べて、速やかに停電を検出できるものである。停電検出の回路方式が異なるだけで、その他の動作は基本的な動作は実施例１と同じである、
（実施例４）
実施例４は図４に示すように、停電検出手段３０２と停電検出手段３０３を両方備え、両者の論理和によってより確実に停電を検出しようとするもので、Ｂラインの断線、コネクタ抜け等による停電の誤検出を防止するものである。
【００３０】
【発明の効果】
以上のように、本発明によれば、インターネット電話兼ＡＤＳＬモデムに接続される端末機器で、商用電源での動作時でも停電時でも目的の電話番号先に間違うことなく発呼することが出来る物である。
【００３１】
端末機器は、家庭内のセキュリティを監視する目的で使われる事も多いので、停電時の指定先への発呼が確実に行われその効果はきわめて大きいものである。
【図面の簡単な説明】
【図１】実施例１記載のセキュリティ機器のブロック構成図
【図２】実施例２記載のセキュリティ機器のブロック構成図
【図３】実施例３記載のセキュリティ機器のブロック構成図
【図４】実施例４記載のセキュリティ機器のブロック構成図
【符号の説明】
５０  インターネット電話兼ＡＤＳＬモデム
６０  セキュリティ機器
１００  ＣＰＵ
１１０  音声信号処理部
１２０  データ信号処理部
１３０  電源回路
２００  通常時電話番号記憶手段（第一の電話番号記憶手段）
２１０  停電時電話番号記憶手段（第二の電話番号記憶手段）
３０１  停電検出手段１
３０２  停電検出手段２
３０３  停電検出手段３
３１０  停電用予備電池
【図１】
2005039470.tif 000003
【図２】
2005039470.tif 000004
【図３】
2005039470.tif 000005
【図４】
2005039470.tif 000006